(57)【要約】【課題】腰をかがめるなど身体に負担を掛けることなく、かつ、ホースの使用・収納を効率的に行うことができるホースリールを提供する。【解決手段】地面に対して垂直な回転軸を有する第１および第２の回転部材１９，２１と、第１の回転部材１９の回転軸を中心としてリール本体１２と第１の回転部材１９とが水平方向に一緒に回動するように両者を連結する第１の連結部材２０と、第１の回転部材１９と第２の回転部材２１とを連結する第２の連結部材２２と、第２の回転部材２１を支持し木枠１１に取り付け可能に構成された固定部材２３とがホースリールに設けられる。また、リール本体１２を構成する２つの側面のうちの第１のハンドル１４が設けられている側面とは反対側の側面に、第１の歯車１６と、第１の歯車１６と噛合する第２の歯車１７と、第２の歯車１７を回転させるための第２のハンドル１８とが設けられる。【選択図】図３
2010013264.tif 000002
【特許請求の範囲】
【請求項１】
ホースを巻き取るためのドラムを回転自在に支持するリール本体と前記ドラムを回転させるための第１のハンドルとを有するホースリールであって、
前記リール本体を地面から浮いた状態で支持するための所定のリール本体支持手段に取り付け可能に構成され前記リール本体を地面に対して垂直な所定の回転軸を中心に回動させるためのリール回転機構を備えることを特徴とする、ホースリール。
【請求項２】
前記リール回転機構は、
地面に対して垂直な回転軸を有する第１の回転部材と、
前記第１の回転部材の回転軸を中心として前記リール本体と前記第１の回転部材とが一緒に回動するように両者を連結する第１の連結部材と、
前記リール本体支持手段に固定的に取り付け可能に構成された固定部材を含み、前記第１の回転部材を支持する第１の回転部材支持手段と
を含むことを特徴とする、請求項１に記載のホースリール。
【請求項３】
前記第１の回転部材支持手段は、前記第１の回転部材を上方から支持することを特徴とする、請求項２に記載のホースリール。
【請求項４】
前記第１の回転部材支持手段は、
地面に対して垂直な回転軸を有し、前記固定部材によって回転自在に支持される第２の回転部材と、
前記第１の回転部材と前記第２の回転部材とを連結する第２の連結部材と
を含み、
前記第２の連結部材は、一端近傍が前記第２の回転部材に止着され、他端近傍で前記第１の回転部材を回転自在に支持することを特徴とする、請求項２または３に記載のホースリール。
【請求項５】
前記第２の回転部材を回転可能な状態と回転不可能な状態との間で切り換える第２の回転部材制御手段を更に備えることを特徴とする、請求項４に記載のホースリール。
【請求項６】
前記第１の回転部材を回転可能な状態と回転不可能な状態との間で切り換える第１の回転部材制御手段を更に備えることを特徴とする、請求項２から５までのいずれか１項に記載のホースリール。
【請求項７】
前記ドラムと同一の回転軸上に取り付けられた第１の歯車と、
前記第１の歯車と噛合する第２の歯車と、
前記第２の歯車を回転させるための第２のハンドルと
を更に備え、
前記リール本体を形成する２つの側面のうちの一方の側面に前記第１のハンドルが設けられ、他方の側面に前記第１の歯車と前記第２の歯車と前記第２のハンドルとが設けられていることを特徴とする、請求項１から６までのいずれか１項に記載のホースリール。
【請求項８】
前記第１および第２のハンドルは取り外し可能に構成されていることを特徴とする、請求項７に記載のホースリール。
【請求項９】
ホースを巻き取るためのドラムを回転自在に支持するリール本体と、
前記ドラムを回転させるための第１のハンドルと、
前記リール本体を地面から浮いた状態で支持するためのリール本体支持手段と、
前記リール本体支持手段に取り付けられ、前記リール本体を地面に対して垂直な所定の回転軸を中心に回動させるためのリール回転機構と
を備えることを特徴とする、支持手段一体型ホースリール。
【請求項１０】
前記リール回転機構は、
地面に対して垂直な回転軸を有する第１の回転部材と、
前記第１の回転部材の回転軸を中心として前記リール本体と前記第１の回転部材とが一緒に回動するように両者を連結する第１の連結部材と、
前記リール本体支持手段に固定的に取り付けられた固定部材を含み、前記第１の回転部材を支持する第１の回転部材支持手段と
を含むことを特徴とする、請求項９に記載の支持手段一体型ホースリール。
【請求項１１】
前記第１の回転部材支持手段は、前記第１の回転部材を上方から支持することを特徴とする、請求項１０に記載の支持手段一体型ホースリール。
【請求項１２】
前記第１の回転部材支持手段は、
地面に対して垂直な回転軸を有し、前記固定部材によって回転自在に支持される第２の回転部材と、
前記第１の回転部材と前記第２の回転部材とを連結する第２の連結部材と
を含み、
前記第２の連結部材は、一端近傍が前記第２の回転部材に止着され、他端近傍で前記第１の回転部材を回転自在に支持することを特徴とする、請求項１０または１１に記載の支持手段一体型ホースリール。
【請求項１３】
前記第２の回転部材を回転可能な状態と回転不可能な状態との間で切り換える第２の回転部材制御手段を更に備えることを特徴とする、請求項１２に記載の支持手段一体型ホースリール。
【請求項１４】
前記第１の回転部材を回転可能な状態と回転不可能な状態との間で切り換える第１の回転部材制御手段を更に備えることを特徴とする、請求項１０から１３までのいずれか１項に記載の支持手段一体型ホースリール。
【請求項１５】
前記ドラムと同一の回転軸上に取り付けられた第１の歯車と、
前記第１の歯車と噛合する第２の歯車と、
前記第２の歯車を回転させるための第２のハンドルと
を更に備え、
前記リール本体を形成する２つの側面のうちの一方の側面に前記第１のハンドルが設けられ、他方の側面に前記第１の歯車と前記第２の歯車と前記第２のハンドルとが設けられていることを特徴とする、請求項９から１４までのいずれか１項に記載の支持手段一体型ホースリール。
【請求項１６】
前記第１および第２のハンドルは取り外し可能に構成されていることを特徴とする、請求項１５に記載の支持手段一体型ホースリール。
【請求項１７】
前記リール本体支持手段は、２本の支柱と前記２本の支柱を互いに連結する支柱連結部材とからなる略門型部材であって、
前記リール回転機構は、前記支柱連結部材に取り付けられていることを特徴とする、請求項９から１６までのいずれか１項に記載の支持手段一体型ホースリール。
【請求項１８】
前記リール本体支持手段は、断面逆Ｌ字型の部材を含み、
前記リール回転機構は、前記断面逆Ｌ字型の部材のうち地面と平行に延びている部分に取り付けられていることを特徴とする、請求項９から１６までのいずれか１項に記載の支持手段一体型ホースリール。
【請求項１９】
前記リール本体支持手段は、所定の引っ掛け構造を有する部材に掛止される掛止部材と、前記掛止部材に連結され地面と平行に延びる略平面状の面を有する支持部材とからなり、
前記リール回転機構は、前記支持部材に取り付けられていることを特徴とする、請求項９から１６までのいずれか１項に記載の支持手段一体型ホースリール。
【請求項２０】
前記掛止部材と前記支持部材とは地面に対して垂直な回転軸を有する第３の回転部材を介して連結されていることを特徴とする、請求項１９に記載の支持手段一体型ホースリール。
【発明の詳細な説明】
【技術分野】
【０００１】
本発明は、ホースリールに関し、特に園芸や農業などで使用される散水用のホースを巻き取るためのホースリールに関する。
【背景技術】
【０００２】
従来より、園芸や農業などで使用される散水用のホースを巻回して収容するホースリールが知られている。ホースリールは、ホースを巻き取るためのドラムを回転自在に支持するリール本体とドラムを回転させるためのハンドルとによって構成されている。このようなホースリールは一般的には庭などの地面に設置されている。このため、作業者は、ホースの使用を開始する際やホースをホースリールに収納する際に腰をかがめて作業しなければならない。従って、作業者（特に高齢者等）にとっては作業負担が大きくなっている。このようなことから、「ホースリールがあるにもかかわらず、ホースが使用直後の状態（ホースがホースリールに巻回されていない状態）のままで庭に放置されている」ということが多々ある。
【０００３】
そこで、特開２０００−１５３９６６号公報には、門型のフレームにホースリールを固定した構成が開示されている。この構成によると、腰をかがめることなくホースリールを使用することができるとともにホースリールの汚れを防止することができるとされている。また、実開平２−３７５３号公報の第８図には、ホースリールが水平回動自在なリール吊り具に吊り下げられた構成が開示されている。この構成によると、ホースリールは、リール吊り具に吊り下げられた状態で消火栓ボックスから出し入れされる。
【特許文献１】特開２０００−１５３９６６号公報
【特許文献２】実開平２−３７５３号公報
【発明の開示】
【発明が解決しようとする課題】
【０００４】
ところが、上記特開２０００−１５３９６６号公報に開示された発明によると、ホースリールは門型のフレームに固定され、リール本体の向きは変えられない。このため、ホースを伸ばす方向によっては、ホースの使用・収納が非効率的なものとなっている。また、実開平２−３７５３号公報に開示された消火栓用のホースリールによると、ドラムを回転させるハンドルが設けられていないため、散水用のホースリールに適用してもホースの使用・収納は効率化されない。
【０００５】
そこで、本発明は、腰をかがめるなど身体に負担を掛けることなく、かつ、ホースの使用・収納を効率的に行うことができるホースリールを提供することを目的とする。
【課題を解決するための手段】
【０００６】
第１の発明は、ホースを巻き取るためのドラムを回転自在に支持するリール本体と前記ドラムを回転させるための第１のハンドルとを有するホースリールであって、
前記リール本体を地面から浮いた状態で支持するための所定のリール本体支持手段に取り付け可能に構成され前記リール本体を地面に対して垂直な所定の回転軸を中心に回動させるためのリール回転機構を備えることを特徴とする。
【０００７】
第２の発明は、第１の発明において、
前記リール回転機構は、
地面に対して垂直な回転軸を有する第１の回転部材と、
前記第１の回転部材の回転軸を中心として前記リール本体と前記第１の回転部材とが一緒に回動するように両者を連結する第１の連結部材と、
前記リール本体支持手段に固定的に取り付け可能に構成された固定部材を含み、前記第１の回転部材を支持する第１の回転部材支持手段と
を含むことを特徴とする。
【０００８】
第３の発明は、第２の発明において、
前記第１の回転部材支持手段は、前記第１の回転部材を上方から支持することを特徴とする。
【０００９】
第４の発明は、第２または第３の発明において、
前記第１の回転部材支持手段は、
地面に対して垂直な回転軸を有し、前記固定部材によって回転自在に支持される第２の回転部材と、
前記第１の回転部材と前記第２の回転部材とを連結する第２の連結部材と
を含み、
前記第２の連結部材は、一端近傍が前記第２の回転部材に止着され、他端近傍で前記第１の回転部材を回転自在に支持することを特徴とする。
【００１０】
第５の発明は、第４の発明において、
前記第２の回転部材を回転可能な状態と回転不可能な状態との間で切り換える第２の回転部材制御手段を更に備えることを特徴とする。
【００１１】
第６の発明は、第２から第５までのいずれかの発明において、
前記第１の回転部材を回転可能な状態と回転不可能な状態との間で切り換える第１の回転部材制御手段を更に備えることを特徴とする。
【００１２】
第７の発明は、第１から第６までのいずれかの発明において、
前記ドラムと同一の回転軸上に取り付けられた第１の歯車と、
前記第１の歯車と噛合する第２の歯車と、
前記第２の歯車を回転させるための第２のハンドルと
を更に備え、
前記リール本体を形成する２つの側面のうちの一方の側面に前記第１のハンドルが設けられ、他方の側面に前記第１の歯車と前記第２の歯車と前記第２のハンドルとが設けられていることを特徴とする。
【００１３】
第８の発明は、第７の発明において、
前記第１および第２のハンドルは取り外し可能に構成されていることを特徴とする。
【００１４】
第９の発明は、ホースを巻き取るためのドラムを回転自在に支持するリール本体と、
前記ドラムを回転させるための第１のハンドルと、
前記リール本体を地面から浮いた状態で支持するためのリール本体支持手段と、
前記リール本体支持手段に取り付けられ、前記リール本体を地面に対して垂直な所定の回転軸を中心に回動させるためのリール回転機構と
を備えることを特徴とする、支持手段一体型ホースリールである。
【００１５】
第１０の発明は、第９の発明において、
前記リール回転機構は、
地面に対して垂直な回転軸を有する第１の回転部材と、
前記第１の回転部材の回転軸を中心として前記リール本体と前記第１の回転部材とが一緒に回動するように両者を連結する第１の連結部材と、
前記リール本体支持手段に固定的に取り付けられた固定部材を含み、前記第１の回転部材を支持する第１の回転部材支持手段と
を含むことを特徴とする。
【００１６】
第１１の発明は、第１０の発明において、
前記第１の回転部材支持手段は、前記第１の回転部材を上方から支持することを特徴とする。
【００１７】
第１２の発明は、第１０または第１１の発明において、
前記第１の回転部材支持手段は、
地面に対して垂直な回転軸を有し、前記固定部材によって回転自在に支持される第２の回転部材と、
前記第１の回転部材と前記第２の回転部材とを連結する第２の連結部材と
を含み、
前記第２の連結部材は、一端近傍が前記第２の回転部材に止着され、他端近傍で前記第１の回転部材を回転自在に支持することを特徴とする。
【００１８】
第１３の発明は、第１２の発明において、
前記第２の回転部材を回転可能な状態と回転不可能な状態との間で切り換える第２の回転部材制御手段を更に備えることを特徴とする。
【００１９】
第１４の発明は、第１０から第１３までのいずれかの発明において、
前記第１の回転部材を回転可能な状態と回転不可能な状態との間で切り換える第１の回転部材制御手段を更に備えることを特徴とする。
【００２０】
第１５の発明は、第９から第１４までのいずれかの発明において、
前記ドラムと同一の回転軸上に取り付けられた第１の歯車と、
前記第１の歯車と噛合する第２の歯車と、
前記第２の歯車を回転させるための第２のハンドルと
を更に備え、
前記リール本体を形成する２つの側面のうちの一方の側面に前記第１のハンドルが設けられ、他方の側面に前記第１の歯車と前記第２の歯車と前記第２のハンドルとが設けられていることを特徴とする。
【００２１】
第１６の発明は、第１５の発明において、
前記第１および第２のハンドルは取り外し可能に構成されていることを特徴とする。
【００２２】
第１７の発明は、第９から第１６までのいずれかの発明において、
前記リール本体支持手段は、２本の支柱と前記２本の支柱を互いに連結する支柱連結部材とからなる略門型部材であって、
前記リール回転機構は、前記支柱連結部材に取り付けられていることを特徴とする。
【００２３】
第１８の発明は、第９から第１６までのいずれかの発明において、
前記リール本体支持手段は、断面逆Ｌ字型の部材を含み、
前記リール回転機構は、前記断面逆Ｌ字型の部材のうち地面と平行に延びている部分に取り付けられていることを特徴とする。
【００２４】
第１９の発明は、第９から第１６までのいずれかの発明において、
前記リール本体支持手段は、所定の引っ掛け構造を有する部材に掛止される掛止部材と、前記掛止部材に連結され地面と平行に延びる略平面状の面を有する支持部材とからなり、
前記リール回転機構は、前記支持部材に取り付けられていることを特徴とする。
【００２５】
第２０の発明は、第１９の発明において、
前記掛止部材と前記支持部材とは地面に対して垂直な回転軸を有する第３の回転部材を介して連結されていることを特徴とする。
【発明の効果】
【００２６】
上記第１の発明によれば、ホースリールのリール本体は地面から浮いた状態で支持される。このため、作業者は、腰をかがめるなど身体に負担をかけることなく、ホースの引き出しやホースの巻き取りを行うことが可能となる。また、リール本体は、地面に対して垂直な回転軸を中心に回動可能となる。このため、作業者は、ホースの引き出し・巻き取り作業が容易となるよう、リール本体の向きを変えることが可能となる。
【００２７】
上記第２の発明によれば、リール回転機構に含まれる固定部材がリール本体支持手段に取り付けられることによって、ホースリールのリール本体は地面から浮いた状態で支持される。また、第１の連結部材を介してリール本体と連結されている第１の回転部材が地面に対して垂直な回転軸を有していることから、リール本体は地面に対して垂直な回転軸を中心に回動可能となる。このため、上記第１の発明と同様、作業者は、身体に負担をかけることなくホースの引き出し・巻き取り作業を行うことが可能となり、また、ホースの引き出し・巻き取り作業が容易となるようリール本体の向きを変えることが可能となる。
【００２８】
上記第３の発明によれば、第１の回転部材支持手段は第１の回転部材を上方から支持するように構成されている。このため、第１の回転部材を横方向から支持する構成と比べると比較的簡易な構成となる。
【００２９】
上記第４の発明によれば、リール本体は、第１の回転部材の回転軸を中心に回動することと第２の回転部材の回転軸を中心に回動することとが可能となる。このため、作業者はリール本体の向きを自在に変えることができるようになり、作業効率が高められる。
【００３０】
上記第５の発明によれば、必要に応じて第２の回転部材を回転可能な状態と回転不可能な状態との間で切り換えることができる。このため、ホースの引き出しや巻き取りが行われる際には第２の回転部材を回転不可能な状態にして固定することにより、ドラムを回転させる際のがたつきを防止することができる。
【００３１】
上記第６の発明によれば、必要に応じて第１の回転部材を回転可能な状態と回転不可能な状態との間で切り換えることができる。このため、ホースの引き出しや巻き取りが行われる際には第１の回転部材を回転不可能な状態にして固定することにより、ドラムを回転させる際のがたつきを防止することができる。
【００３２】
上記第７の発明によれば、リール本体の両側面にドラムを回転させるためのハンドルが設けられる。このため、リール本体の向きにかかわらず、作業者は容易にドラムを回転させることができる。
【００３３】
上記第８の発明によれば、リール本体の両側面に設けられたハンドルは取り外し可能に構成されている。このため、リール本体の向きに応じて作業が容易となるよう１つのハンドルを付けかえるようにすることができる。
【発明を実施するための最良の形態】
【００３４】
以下、添付図面を参照しつつ、本発明の実施形態について説明する。
【００３５】
＜１．第１の実施形態＞
＜１．１  ホースリールの全体構成＞
図１は、本発明の第１の実施形態に係るホースリール１０を一方の側面から見た側面図であり、図２はこのホースリール１０を他方の側面から見た側面図である。また、図３は、このホースリール１０を図１で符号２６で示す矢印の方向から見た正面図である。図１から図３に示すように、このホースリール１０は、散水用のホース２７を巻き取るためのドラム１３を回転自在に支持するリール本体１２と、ドラム１３を回転させるための第１のハンドル１４と、水道２９からの水を散水用のホース２７に供給するための供給口１５と、ドラム１３と同一の回転軸上に取り付けられた第１の歯車１６と、第１の歯車１６と噛合する第２の歯車１７と、第２の歯車１７を回転させるための第２のハンドル１８と、地面に対して垂直な回転軸を有する第１の回転部材１９と、リール本体１２と第１の回転部材１９とを固定的に連結する第１の連結部材２０と、地面に対して垂直な回転軸を有する第２の回転部材２１と、第１の回転部材１９と第２の回転部材２１とを連結する第２の連結部材２２と、第２の回転部材２１を支持する固定部材２３とによって構成されている。ホースリール１０が使用される際には、リール本体１２に散水用のホース２７が巻回され、水道２９と供給口１５との間に、散水用のホース２７に水が供給されるよう水供給用のホース２８が取り付けられる。
【００３６】
本実施形態においては、略門型の木枠１１が地面の上に形成され、図１で左右両側に配置された支柱を連結する部分（支柱連結部材）にホースリール１０の固定部材２３が固定的に取り付けられている。これにより、ホースリール１０と木枠１１とが一体となって、全体として支持手段一体型ホースリールが実現されている。なお、この木枠１１は、典型的には、図３に示すように庭の隅（建物の壁や塀の近傍）に配置される。
【００３７】
また、本実施形態においては、第２の回転部材２１と第２の連結部材２２と固定部材２３とによって、第１の回転部材１９を支持する第１の回転部材支持手段が実現され、第１の回転部材１９と第１の連結部材２０と第２の回転部材２１と第２の連結部材２２と固定部材２３とによって、リール本体１２を地面に対して垂直な回転軸を中心に回動させるためのリール回転機構が実現されている。
【００３８】
なお、図１から図３において符号Ｌ１からＬ７で示す距離（部材のサイズ等）の典型的な例は次のとおりである。Ｌ１：７００ｍｍ、Ｌ２：１３００ｍｍ、Ｌ３：１５０ｍｍ、Ｌ４：３００ｍｍ、Ｌ５：１４０ｍｍ、Ｌ６：６０ｍｍ、Ｌ７：２１０ｍｍ。
【００３９】
＜１．２  リール回転機構＞
次に、本実施形態におけるリール回転機構の構成および動作について詳しく説明する。第２の回転部材２１は、固定部材２３によって回転自在に支持されている。また、第２の連結部材２２の一端近傍は、第２の回転部材２１に止着されている。このため、第２の回転部材２１の回転軸を中心として、当該第２の回転部材２１と第２の連結部材２２とは水平方向に一緒に回動する。従って、作業者は、第２の回転部材２１の回転軸を中心として第２の連結部材２２を水平方向に回動させることができる。
【００４０】
第１の回転部材１９は、第２の連結部材２２の他端近傍において、当該第２の連結部材２２によって回転自在に支持されている。また、第１の連結部材２０は、第１の回転部材１９とリール本体１２とに止着されている。このため、第１の回転部材１９の回転軸を中心として、当該第１の回転部材１９とリール本体１２とは水平方向に一緒に回動する。従って、作業者は、第１の回転部材１９の回転軸を中心としてリール本体１２を水平方向に回動させることができる。
【００４１】
また、上述のように、第１の回転部材１９と第２の回転部材２１とは第２の連結部材２２によって連結されている。このため、作業者は、第２の連結部材２２を水平方向に回動させることによって、第２の回転部材２１の回転軸を中心としてリール本体１２を水平方向に回動させることができる。
【００４２】
ところで、第２の回転部材２１には、第２の回転部材制御手段としてのＴ字型のハンドル付きネジ２１１が設けられている。そして、そのネジ２１１を締めると第２の回転部材２１は回転不可能な状態となり、当該ネジ２１１を緩めると第２の回転部材２１は回転可能な状態となるように構成されている。同様に、第１の回転部材１９には第１の回転部材制御手段としてのＴ字型のハンドル付きネジ１９１が設けられており、そのネジ１９１を締めると第１の回転部材１９は回転不可能な状態となり、当該ネジ１９１を緩めると第１の回転部材１９は回転可能な状態となるように構成されている。従って、作業者は、必要に応じて第１および第２の回転部材１９，２１を回転可能な状態と回転不可能な状態との間で切り換えることができる。
【００４３】
＜１．３  ハンドル＞
図４は、ドラム１３を回転させるための第２のハンドル１８について説明するための図である。本実施形態においては、リール本体１２を構成する２つの側面のうちの第１のハンドル１４が設けられている側面とは反対側の側面に、図４に示すように、第１の歯車１６と第２の歯車１７と第２のハンドル１８とが設けられている。第２のハンドル１８は第２の歯車１７を回転させるためのハンドルであって、その第２の歯車１７は第１の歯車１６と互いに噛合している。このため、第２のハンドル１８を回転させると、当該第２のハンドル１８の回転方向とは逆方向に第１の歯車１６が回転する。ここで、上述したように第１の歯車１６はドラム１３と同一の回転軸（符号１３１で示す回転軸）上に取り付けられている。このため、作業者は、第２のハンドル１８を回転させることによってドラム１３を回転させることができる。
【００４４】
ここで、第１のハンドル１４が設けられている側面とは反対側の側面に第２のハンドル１８を設けるために、第１の歯車１６と第２の歯車１７とが設けられている。この理由について、図５を参照しつつ説明する。ホースリールのリール本体１２には、第１のハンドル１４が設けられている側面とは反対側の側面に、水道２９からの水を散水用のホース２７に供給するための供給口１５が設けられている。そして、ホースリールの使用状態においては、その供給口１５と水道２９との間に水供給用のホース２８が取り付けられている。このため、仮に図５（ａ）に示すようにリール本体１２にハンドル１４１が取り付けられても、水供給用のホース２８があるために当該ハンドル１４１を回転させることができない。
【００４５】
そこで、本実施形態においては、図５（ｂ）に示すように、リール本体１２のドラムと同一の回転軸を有する第１の歯車１６と、当該第１の歯車１６と噛合する第２の歯車１７とが設けられ、当該第２の歯車１７に近接して第２のハンドル１８が取り付けられている。この構成により、水供給用のホース２８が供給口１５に取り付けられていても作業者は第２のハンドル１８を回転させることができ、当該第２のハンドル１８の回転に応じてドラム１３が回転する。
【００４６】
図６（ａ）〜（ｃ）は、木枠１１から取り外した状態におけるホースリール１０の正面図である。なお、図６（ａ）〜（ｃ）には、ホースリール１０から散水用のホース２７および水供給用のホース２８を取り外した状態を示している。図６（ａ）においては、リール本体１２を構成する２つの側面のうちの一方の側面に第１のハンドル１４が設けられ、他方の側面に第２のハンドル１８が設けられている。ここで、本実施形態においては、第１のハンドル１４および第２のハンドル１８は取り外し可能に構成されている。従って、作業者は、図６（ｂ）に示すように第１のハンドル１４のみが取り付けられた状態や図６（ｃ）に示すように第２のハンドル１８のみが取り付けられた状態にすることができる。
【００４７】
＜１．４  効果＞
本実施形態によれば、ホースリール１０には、木枠１１に取り付け可能な固定部材２３が設けられている。このため、図１から図３に示すように、略門型の木枠１１の支柱間の連結部分に固定部材２３が取り付けられることにより、リール本体１２は地面から所定の高さの位置で支持される。これにより、作業者は、腰をかがめたりすることなく、比較的楽な姿勢でホースリール１０からのホース２７の引き出しやホースリール１０へのホース２７の収納（ホースの巻き取り）を行うことができる。その結果、作業者の負担が軽減されるとともに、作業効率が高められる。また、地面から所定の高さの位置でホース２７がドラム１３に巻きつけられるので、ホース２７の中に水が残りにくいという効果も得られる。
【００４８】
また、本実施形態によれば、第２の連結部材２２を水平方向に回動させることによって第２の回転部材２１の回転軸を中心としてリール本体１２を水平方向に回動させることができるように構成されている。この構成により、例えば、上方から見たときに、ホースリール１０は図７（ａ）に示す状態から図７（ｂ）に示す状態へと第２の回転部材２１の回転軸２１９を中心に回動させられる。このため、ホース２７を使用しない時にはリール本体１２を木枠１１内に収納しておくことができ、また、ホース２７を使用する時には当該ホース２７の引き出しが容易となるようリール本体１２の向きを変えることができる。
【００４９】
さらに、本実施形態によれば、リール本体１２の両側面にハンドル（第１および第２のハンドル１４，１８）が設けられている。このため、リール本体１２の向きにかかわらず、作業者は容易にドラム１３を回転させることができる。また、第１のハンドル１４および第２のハンドル１８は取り外し可能に構成されているので、図７（ａ）、（ｂ）に示すように、リール本体１２の向きに応じて作業が容易となるよう１つのハンドルを付けかえるようにすることができる。
【００５０】
さらにまた、本実施形態によれば、第１の回転部材１９の回転軸を中心としてリール本体１２を水平方向に回動させることができるように構成されている。この構成により、ホースリール１０は、例えば図１に示す状態から図８に示す状態へと第１の回転部材１９の回転軸を中心に回動させられる。また、図７（ｃ）に示す状態のように、第２の回転部材２１の回転軸を中心としてリール本体１２を回動させた後、第１の回転部材１９の回転軸を中心としてさらにリール本体１２を回動させることができる。このように、作業者はリール本体１２の向きを容易かつ自由に変えることができ、作業効率が高められる。
【００５１】
また、第１および第２の回転部材１９，２１に設けられたＴ字型のハンドル付きネジ１９１，２１１によって、第１および第２の回転部材１９，２１は回転可能な状態と回転不可能な状態との間で切り換えられる。このため、ホース２７の引き出しや巻き取りが行われる際には上記回転部材を回転不可能な状態にしてホースリール全体が固定された状態にすることにより、ドラム１３を回転させる際のがたつきが防止される。
【００５２】
＜２．第２の実施形態＞
＜２．１  ホースリールの構成＞
図９は、本発明の第２の実施形態に係るホースリール３０の正面図であり、図１０は、このホースリール３０を図９で符号４６で示す矢印の方向から見た側面図である。また、図１１は、このホースリール３０を上から見た平面図である。なお、図９から図１１では、ホースリール３０に取り付けられる散水用のホースについては省略している。このホースリール３０は、散水用のホースを巻き取るためのドラム３３を回転自在に支持するリール本体３２と、ドラム３３を回転させるための第１のハンドル３４と、水道４９からの水を散水用のホースに供給するための供給口３５と、ドラム３３と同一の回転軸上に取り付けられた第１の歯車３６と、第１の歯車３６と噛合する第２の歯車３７と、第２の歯車３７を回転させるための第２のハンドル３８と、地面に対して垂直な回転軸を有する第１の回転部材３９と、リール本体３２と第１の回転部材３９とを固定的に連結する第１の連結部材４０と、第１の回転部材３９を支持する固定部材４３とによって構成されている。水道４９と供給口３５との間には、散水用のホースに水が供給されるよう、水供給用のホース４８が取り付けられている。
【００５３】
本実施形態においては、正面、側面、上方の３方向から見た形状がいずれも逆Ｌ字型となる２つの鋼管３１で実現されたリール本体支持手段によってリール本体３２が上方から支持されるよう、固定部材４３が当該鋼管３１に固定的に取り付けられている。これにより、ホースリール３０と鋼管３１とが一体となって、全体として支持手段一体型ホースリールが実現されている。なお、図９から図１１において、それぞれの対応する部分には共通の符号３１１，３１２，および３１３を付している。
【００５４】
また、本実施形態においては、第１の回転部材３９と第１の連結部材４０と固定部材４３とによって、リール本体３２を地面に対して垂直な回転軸を中心に回動させるためのリール回転機構が実現されている。すなわち、上記第１の実施形態においては、地面に対して垂直な回転軸を有する２個の回転部材が設けられていたが、本実施形態においては、１個のみの回転部材が設けられている。
【００５５】
＜２．２  効果＞
本実施形態によれば、第１の回転部材３９は固定部材４３によって回転自在に支持されている。また、第１の回転部材３９とリール本体３２とは、上記第１の実施形態と同様、第１の連結部材４０によって固定的に連結されている。このため、第１の回転部材３９の回転軸を中心として、当該第１の回転部材３９とリール本体３２とは水平方向に一緒に回動する。従って、作業者は、例えば図１０に示す状態から図１２に示す状態のように、第１の回転部材３９の回転軸を中心としてリール本体３２を水平方向に回動させることができる。
【００５６】
ところで、本実施形態においては、上記第１の実施形態における第２の回転部材に相当する構成要素が設けられていない。このため、作業者はリール本体３２の位置を移動させることはできない。しかしながら、図１０に示すように鋼管３１の支柱が庭の隅（建物の壁や塀の近傍）に配置されている場合には、リール本体３２の向きさえ変えられれば、ホースを引き出す作業やホースを収納する作業に支障が生じることはない。なお、本実施形態においてはリール本体支持手段は鋼管３１で実現されているので、図９から図１１において符号３１３で示す部分と地面との間に支柱が存在しなくても、リール本体３２は充分に支持される。
【００５７】
以上のように、本実施形態によれば、上記第１の実施形態よりも簡易な構成で、従来よりも作業負担を軽減し作業効率を高めることのできるホースリールが実現される。
【００５８】
＜３．第３の実施形態＞
＜３．１  ホースリールの構成＞
図１３は、本発明の第３の実施形態に係るホースリール５０を一方の側面から見た側面図であり、図１４はこのホースリール５０を他方の側面から見た側面図である。また、図１５は、このホースリール５０を図１３で符号６１で示す矢印の方向から見た正面図であり、図１６は、このホースリール５０を上から見た平面図である。図１３から図１６に示すように、このホースリール５０は、散水用のホース（不図示）を巻き取るためのドラム５３を回転自在に支持するリール本体５２と、ドラム５３を回転させるための第１のハンドル５４と、水道からの水を散水用のホースに供給するための供給口５５と、ドラム５３と同一の回転軸上に取り付けられた第１の歯車５６と、第１の歯車５６と噛合する第２の歯車５７と、第２の歯車５７を回転させるための第２のハンドル５８と、地面に対して垂直な回転軸を有する第１の回転部材５９と、リール本体５２と第１の回転部材５９とを固定的に連結する第１の連結部材６０と、第１の回転部材５９を支持する固定部材６３と、リール本体５２を地面に設置する際に必要とされる脚６８とによって構成されている。
【００５９】
本実施形態においては、リール本体支持手段は、建物の壁や塀にねじ留めされる引っ掛け金具６９に掛止可能な掛止部材６６と、当該掛止部材６６に連結され地面と平行に延びる略平面状の面を有する支持部材６４と、当該支持部材６４を安定した状態に保つための脚部材６７とによって構成されている。支持部材６４は、典型的には、アルミ鋳物やステンレス鋼によって形成されている。支持部材６４には地面に対して垂直な回転軸を有する第３の回転部材６４１が含まれており、当該第３の回転部材６４１を介して支持部材６４と掛止部材６６、支持部材６４と脚部材６７がそれぞれ連結されている。また、支持部材６４には、運搬用の持ち手６５が取り付けられている。なお、脚部材６７の先端部はゴムで形成されているところ、これは、建物の壁や塀に傷をつけないようにするためである。また、第１の回転部材５９にはＴ字型のハンドル付きネジ５９１が設けられており、そのネジ５９１を締めると第１の回転部材５９は回転不可能な状態となり、当該ネジ５９１を緩めると第１の回転部材５９は回転可能な状態となるように構成されている。さらに、第３の回転部材６４１にもＴ字型のハンドル付きネジ６４２が設けられており、そのネジ６４２を締めると第３の回転部材６４１は回転不可能な状態となり、当該ネジ６４２を緩めると第３の回転部材６４１は回転可能な状態となるように構成されている。
【００６０】
図１７は、建物の壁や塀へのリール本体支持手段の取り付けについて説明するための図である。本実施形態においては、まず、建物の壁や塀に図１７（ａ）に示すような引っ掛け金具６９がねじ留めされる。これにより、建物の壁や塀と引っ掛け金具６９とによって、図１７（ａ）に示すような断面方形の穴部６９１が形成される。支持部材６４は図１７（ｂ）に示すような掛止部材６６と連結されているところ、この掛止部材６６のうち図１７（ｂ）で符号６６１で示す部分が上述の穴部６９１に挿入される。これにより、掛止部材６６は引っ掛け金具６９に掛止される。以上のようにして、リール本体支持手段が建物の壁や塀に取り付けられる。
【００６１】
＜３．２  効果＞
本実施形態によれば、上記第１および第２の実施形態と同様、第１の回転部材５９の回転軸を中心として、当該第１の回転部材５９とリール本体５２とは水平方向に一緒に回動する。従って、作業者は、第１の回転部材５９の回転軸を中心としてリール本体５２を水平方向に回動させることができる。また、本実施形態においては、地面に対して垂直な回転軸を有する第３の回転部材６４１が、リール本体支持手段を構成する支持部材６４に設けられている。このため、作業者は、支持部材６４を水平方向に回動させることによってリール本体５２を第３の回転部材６４１の回転軸を中心に回動させることができる。以上より、作業者は、図１６に示すような状態のホースリール５０を図１８（ａ）〜（ｃ）に示すような状態へと変化させることができる。
【００６２】
また、本実施形態によれば、引っ掛け金具６９に掛止可能な掛止部材６６を含むリール本体支持手段がホースリール５０と一体化されている。このため、作業者は、引っ掛け金具６９の取り付けが可能な場所であれば、所望の場所の所望の高さの位置にこのホースリール５０を設置することができる。これにより、作業者は、腰をかがめるなど身体に負担を掛けることなくホースリールを使用することが可能となる。
【００６３】
さらに、本実施形態によれば、上記第１および第２の実施形態とは異なり、リール本体支持手段が比較的小さなサイズの構成要素で実現されている。このため、支持手段一体型ホースリールが比較的小さなサイズで実現される。
【００６４】
＜４．変形例＞
上記第１から第３の実施形態ではリール本体はいずれも上方から吊り下げられる構成となっているが、本発明はこれに限定されず、リール本体が横方向から支持される構成（本変形例の構成）であっても良い。図１９は、本変形例に係るホースリール７０を一方の側面から見た側面図であり、図２０はこのホースリール７０を上から見た平面図である。図１９、図２０に示すように、このホースリール７０は、散水用のホース（不図示）を巻き取るためのドラム７３を回転自在に支持するリール本体７２と、ドラム７３を回転させるための第１のハンドル７４と、水道からの水を散水用のホースに供給するための供給口７５と、ドラム７３と同一の回転軸上に取り付けられた第１の歯車７６と、第１の歯車７６と噛合する第２の歯車７７と、第２の歯車７７を回転させるための第２のハンドル７８と、建物の壁や塀にねじ留めされる引っ掛け金具８９に掛止可能な掛止部材８６と、当該掛止部材８６に連結され地面と平行に延びる略平面状の面を有する第１の連結部材８０と、当該第１の連結部材８０を安定した状態に保つための脚部材８７と、リール本体７２を地面に設置する際に必要とされる脚８５と、運搬用の持ち手８８とによって構成されている。このような構成において、第１の連結部材８０には地面に対して垂直な回転軸を有する第１の回転部材７９が含まれており、当該第１の回転部材７９を介して第１の連結部材８０と掛止部材８６、第１の連結部材８０と脚部材８７がそれぞれ連結されている。第１の回転部材７９にはＴ字型のハンドル付きネジ７９１が設けられており、そのネジ７９１を締めると第１の回転部材７９は回転不可能な状態となり、当該ネジ７９１を緩めると第１の回転部材７９は回転可能な状態となるように構成されている。また、第１の連結部材８０はリール本体７２に止着されている。
【００６５】
本変形例によれば、第１の連結部材８０は、第１の回転部材７９の回転軸を中心として回動させられる。ここで、上述のように第１の連結部材８０はリール本体７２に止着されているので、第１の回転部材７９の回転軸を中心として、当該第１の回転部材７９とリール本体７２とは水平方向に一緒に回動する。従って、作業者は、第１の回転部材７９の回転軸を中心としてリール本体７２を水平方向に回動させることができる。
【００６６】
また、上記第３の実施形態と同様、作業者は、引っ掛け金具８９の取り付けが可能な場所であれば、所望の場所の所望の高さの位置にこのホースリール７０を設置することができる。これにより、作業者は、腰をかがめるなど身体に負担を掛けることなくホースリールを使用することが可能となる。
【００６７】
＜５．従来技術との対比＞
最後に、本発明と従来技術との相違点、当該相違点に基づく本発明の有利な効果について説明する。特開２０００−１５３９６６号公報に開示された発明によると、門型のフレームの上方にホースリールが固定されることにより、作業者は腰をかがめることなくホースリールを使用することができるようになっている。ここで、この門型のフレームには、巾方向のアジャスト機構や高さ方向のアジャスト機構が設けられている。ところが、ホースリールのリール本体の向きを変えるための構成要素は設けられていない。
【００６８】
これに対し、本発明においては、リール本体を地面に対して垂直な回転軸を中心に回動させるためのリール回転機構がホースリールに設けられている。このため、リール本体が単に従来よりも高い位置で支持されるだけではなく、ホースの引き出しやホースの収納（巻き取り）が容易となるようリール本体の向きが自在に変えられる。これにより、単に作業者の負担が軽減されるだけではなく、作業効率が高められる。
【００６９】
また、実開平２−３７５３号公報の第８図に開示されている構成によると、ホースリールは、リール吊り具に吊り下げられた状態で消火栓ボックスから出し入れされる。ところが、このホースリールは消火栓用のものであるため、ドラムを回転させるためのハンドルがリール本体に取り付けられていない。
【００７０】
これに対し、本発明においては、リール本体の一方の側面には第１のハンドルが取り付けられ、他方の側面には第２のハンドルが取り付けられている。そして、それら第１および第２のハンドルは取り外し可能に構成されている。このため、リール本体の向きにかかわらず、ホースの引き出し・収納作業が容易に行われる。また、リール本体の向きに応じて作業が容易となるよう１つのハンドルを付けかえるようにすることができる。
【図面の簡単な説明】
【００７１】
【図１】本発明の第１の実施形態に係るホースリールを一方の側面から見た側面図である。
【図２】上記第１の実施形態において、ホースリールを他方の側面から見た側面図である。
【図３】上記第１の実施形態におけるホースリールの正面図である。
【図４】上記第１の実施形態において、第２のハンドルについて説明するための図である。
【図５】上記第１の実施形態において、第１のハンドルが設けられている側面とは反対側の側面に第２のハンドルを設けるために第１の歯車と第２の歯車とを備える構成としている理由について説明するための図である。
【図６】上記第１の実施形態において、ハンドルの取り外しについて説明するための図である。
【図７】上記第１の実施形態において、リール本体の回動について説明するための図である。
【図８】上記第１の実施形態において、第１の回転部材の回転軸を中心としたリール本体の回動について説明するための図である。
【図９】本発明の第２の実施形態に係るホースリールの正面図である。
【図１０】上記第２の実施形態におけるホースリールの側面図である。
【図１１】上記第２の実施形態において、ホースリールを上から見た平面図である。
【図１２】上記第２の実施形態において、第１の回転部材の回転軸を中心としたリール本体の回動について説明するための図である。
【図１３】本発明の第３の実施形態に係るホースリールを一方の側面から見た側面図である。
【図１４】上記第３の実施形態において、ホースリールを他方の側面から見た側面図である。
【図１５】上記第３の実施形態におけるホースリールの正面図である。
【図１６】上記第３の実施形態において、ホースリールを上から見た平面図である。
【図１７】上記第３の実施形態において、建物の壁や塀へのリール本体支持手段の取り付けについて説明するための図である。
【図１８】上記第３の実施形態における効果について説明するための図である。
【図１９】本発明の変形例に係るホースリールの側面図である。
【図２０】上記変形例におけるホースリールの正面図である。
【符号の説明】
【００７２】
１０，３０，５０，７０…ホースリール
１１…木枠
１２，３２，５２，７２…リール本体
１３，３３，５３，７３…ドラム
１４，３４，５４，７４…第１のハンドル
１５，３５，５５，７５…供給口
１６，３６，５６，７６…第１の歯車
１７，３７，５７，７７…第２の歯車
１８，３８，５８，７８…第２のハンドル
１９，３９，５９，７９…第１の回転部材
２０，４０，６０，８０…第１の連結部材
２１…第２の回転部材
２２…第２の連結部材
２３，４３，６３，８３…固定部材
３１…鋼管
６６，８６…掛止部材
６４１…第３の回転部材
【図１】
2010013264.tif 000003
【図２】
2010013264.tif 000004
【図３】
2010013264.tif 000005
【図４】
2010013264.tif 000006
【図５】
2010013264.tif 000007
【図６】
2010013264.tif 000008
【図７】
2010013264.tif 000009
【図８】
2010013264.tif 000010
【図９】
2010013264.tif 000011
【図１０】
2010013264.tif 000012
【図１１】
2010013264.tif 000013
【図１２】
2010013264.tif 000014
【図１３】
2010013264.tif 000015
【図１４】
2010013264.tif 000016
【図１５】
2010013264.tif 000017
【図１６】
2010013264.tif 000018
【図１７】
2010013264.tif 000019
【図１８】
2010013264.tif 000020
【図１９】
2010013264.tif 000021
【図２０】
2010013264.tif 000022
【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
ホースを巻き取るためのドラムが水平な回転軸の回りに回転自在に支持されたリール本体と、前記ドラムを回転させるための第１のハンドルが前記リール本体の一方の側面側に取り付けられ、リール本体の他方の側面側の回転中心に、前記ホースに水を供給する供給口が設けられたホースリールであって、
前記リール本体を地面から浮いた状態で支持するためのリール本体支持手段に取り付け可能に構成され前記リール本体を地面に対して垂直な回転軸を中心に回動させるためのリール回転機構を備え、前記リール本体の他方の側面側に、前記ドラムと同一の回転軸上に取り付けられた第１の歯車と、前記第１の歯車と噛合する第２の歯車と、前記第２の歯車を回転させるための第２のハンドルとを備えたことを特徴とするホースリール。
【請求項２】
前記第１および第２のハンドルは取り外し可能に構成されている請求項１に記載のホースリール。
【手続補正２】
【補正対象書類名】明細書
【補正対象項目名】０００６
【補正方法】変更
【補正の内容】
【０００６】
本願発明は、ホースを巻き取るためのドラムが水平な回転軸の回りに回転自在に支持されたリール本体と、前記ドラムを回転させるための第１のハンドルが前記リール本体の一方の側面側に取り付けられ、リール本体の他方の側面側の回転中心に、前記ホースに水を供給する供給口が設けられたホースリールであって、
前記リール本体を地面から浮いた状態で支持するためのリール本体支持手段に取り付け可能に構成され前記リール本体を地面に対して垂直な回転軸を中心に回動させるためのリール回転機構を備え、前記リール本体の他方の側面側に、前記ドラムと同一の回転軸上に取り付けられた第１の歯車と、前記第１の歯車と噛合する第２の歯車と、前記第２の歯車を回転させるための第２のハンドルとを備えた構成を採用することにより、作業者が腰をかがめるなど身体に負担をかけることなく、ホースの引き出しやホースの巻き取りを行うことが可能となり、作業者がホースの引き出し・巻き取り作業が容易となるよう、リール本体の向きを変えることが可能となるとともに、リール本体の向きにかかわらず、作業者が容易にドラムを回転させることができるようにした。
【手続補正３】
【補正対象書類名】明細書
【補正対象項目名】０００７
【補正方法】変更
【補正の内容】
【０００７】
前記リール回転機構は、
地面に対して垂直な回転軸を有する第１の回転部材と、
前記第１の回転部材の回転軸を中心として前記リール本体と前記第１の回転部材とが一緒に回動するように両者を連結する第１の連結部材と、
前記リール本体支持手段に固定的に取り付け可能に構成された固定部材を含み、前記第１の回転部材を支持する第１の回転部材支持手段とを含むものとすることができる。
【手続補正４】
【補正対象書類名】明細書
【補正対象項目名】０００８
【補正方法】変更
【補正の内容】
【０００８】
前記第１の回転部材支持手段は、前記第１の回転部材を上方から支持するものとすることができる。
【手続補正５】
【補正対象書類名】明細書
【補正対象項目名】０００９
【補正方法】変更
【補正の内容】
【０００９】
前記第１の回転部材支持手段は、
地面に対して垂直な回転軸を有し、前記固定部材によって回転自在に支持される第２の回転部材と、
前記第１の回転部材と前記第２の回転部材とを連結する第２の連結部材と
を含み、
前記第２の連結部材は、一端近傍が前記第２の回転部材に止着され、他端近傍で前記第１の回転部材を回転自在に支持するものとすることができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
前記第１および第２のハンドルは取り外し可能とすることができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
本願発明によれば、ホースリールのリール本体は地面から浮いた状態で支持される。このため、作業者は、腰をかがめるなど身体に負担をかけることなく、ホースの引き出しやホースの巻き取りを行うことが可能となる。また、リール本体は、地面に対して垂直な回転軸を中心に回動可能となる。このため、作業者は、ホースの引き出し・巻き取り作業が容易となるよう、リール本体の向きを変えることが可能となる。さらに、リール本体の両側面にドラムを回転させるためのハンドルが設けられる。このため、リール本体の向きにかかわらず、作業者は容易にドラムを回転させることができる。
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３５
【補正方法】変更
【補正の内容】
【００３５】
＜１．第１の実施形態＞
＜１．１  ホースリールの全体構成＞
図１は、本発明の第１の実施形態に係るホースリール１０を一方の側面から見た側面図であり、図２はこのホースリール１０を他方の側面から見た側面図である。また、図３は、このホースリール１０を図１で符号２６で示す矢印の方向から見た正面図である。図１から図３に示すように、このホースリール１０は、散水用のホース２７を巻き取るためのドラム１３が回転自在に支持されるリール本体１２と、ドラム１３を回転させるための第１のハンドル１４と、水道２９からの水を散水用のホース２７に供給するための供給口１５と、ドラム１３と同一の回転軸上に取り付けられた第１の歯車１６と、第１の歯車１６と噛合する第２の歯車１７と、第２の歯車１７を回転させるための第２のハンドル１８と、地面に対して垂直な回転軸を有する第１の回転部材１９と、リール本体１２と第１の回転部材１９とを固定的に連結する第１の連結部材２０と、地面に対して垂直な回転軸を有する第２の回転部材２１と、第１の回転部材１９と第２の回転部材２１とを連結する第２の連結部材２２と、第２の回転部材２１を支持する固定部材２３とによって構成されている。ホースリール１０が使用される際には、リール本体１２に散水用のホース２７が巻回され、水道２９と供給口１５との間に、散水用のホース２７に水が供給されるよう水供給用のホース２８が取り付けられる。
【手続補正３１】
【補正対象書類名】明細書
【補正対象項目名】００４２
【補正方法】変更
【補正の内容】
【００４２】
ところで、第２の回転部材２１には、第２の回転部材制御手段としてのＴ字型のハンドル付きネジ２１１が設けられている。そして、そのネジ２１１を締めると第２の回転部材２１は回転不可能な状態となり、当該ネジ２１１を緩めると第２の回転部材２１は回転可能な状態となるように構成されている。同様に、第１の回転部材１９には第１の回転部材制御手段としてのＴ字型のハンドル付きネジ１９１が設けられており、そのネジ１９１を締めると第１の回転部材１９は回転不可能な状態となり、当該ネジ１９１を緩めると第１の回転部材１９は回転可能な状態となるように構成されている。従って、作業者は、必要に応じて第１および第２の回転部材１９，２１を回転可能な状態と回転不可能な状態との間で切り換えることができる。なお、各ハンドル付きネジ１９１、２１１は、図示は省略するが、それぞれ回転部材１９、２１の周りの固定外筒に螺着されており、その締め込みによって各回転部材１９、２１の外径面を押圧し、これらを回転不可能な状態とするようになっている。
【手続補正書】
【提出日】平成21年2月24日(2009.2.24)
【手続補正１】
【補正対象書類名】明細書
【補正対象項目名】００４２
【補正方法】削除
【補正の内容】